(57)【要約】【課題】破風部材の材質及び厚さに関係なく、幅広い種類の軒樋用吊り具を軒先に強固に取り付けることを可能とする軒樋用吊り具の取り付け補助部材を提供する。【解決手段】垂木または野地板に接触するように構成された取付部と、該垂木の端面に隣接させて破風部材を取り付けた後に該垂木の端面の少なくとも一部の位置を示すことができるように構成された目印部と、を備えた軒樋用吊り具の取り付け補助部材。【選択図】  図１−１
2019027177.tif 000002
【特許請求の範囲】
【請求項１】
垂木または野地板に接触するように構成された取付部と、該垂木の端面に隣接させて破風部材を取り付けた後に該垂木の端面の少なくとも一部の位置を示すことができるように構成された目印部と、を備えた軒樋用吊り具の取り付け補助部材。
【請求項２】
前記目印部は破風部材と隣接する前記垂木の端面の水平方向の長さの両端、高さ方向の長さの両端、またはそれらの両方向の長さの各両端の位置を示す指標を有する請求項１に記載の軒樋用吊り具の取り付け補助部材。
【請求項３】
前記目印部は前記垂木の端面の水平方向の長さ方向の両端、高さ方向の長さの両端、またはそれらの両方向の長さの各両端の位置に対応する外縁を有し、当該外縁が前記指標となる請求項２に記載の軒樋用吊り具の取り付け補助部材。
【請求項４】
前記目印部は軒樋用吊り具の固定用部材が取り付けられる垂木の端面の部分と重ならないように形成されている請求項１〜３の何れか一項に記載の軒樋用吊り具の取り付け補助部材。
【請求項５】
前記目印部は、垂木の端面を正面から観察したときに、垂木の端面の上側の両角部に重なるようにして形成された、垂木の端面の水平方向の長さの両端の位置を示す指標を有する請求項４に記載の軒樋用吊り具の取り付け補助部材。
【請求項６】
前記目印部は、垂木の端面を正面から観察したときに、垂木の端面の外周部のみと重なるようにして形成されている請求項４に記載の軒樋用吊り具の取り付け補助部材。
【請求項７】
前記目印部は軒樋用吊り具と係合可能な一つ又は複数の部位を有する請求項４に記載の軒樋用吊り具の取り付け補助部材。
【請求項８】
前記取付部は垂木または野地板への取り付け位置の指標を有する請求項１〜７の何れか一項に記載の軒樋用吊り具の取り付け補助部材。
【請求項９】
前記取付部は垂木の上面、下面、端面、右側面及び左側面よりなる群から選択される少なくとも一つの面に接触するように構成されている請求項１〜８の何れか一項に記載の軒樋用吊り具の取り付け補助部材。
【請求項１０】
軒樋用吊り具を設置する前の軒先構造であって、垂木と、垂木の端面に隣接して上下方向に設置された破風部材と、垂木及び破風部材の上側に設置された野地板と、野地板の上側に設置された屋根材と、取付部が垂木または野地板に固定された請求項１〜９の何れか一項に記載の軒樋用吊り具の取り付け補助部材とを備えた軒先構造。
【請求項１１】
垂木と、垂木の端面に隣接して上下方向に設置された破風部材と、垂木及び破風部材の上側に設置された野地板と、野地板の上側に設置された屋根材と、取付部が垂木または野地板に固定された請求項１〜９の何れか一項に記載の軒樋用吊り具の取り付け補助部材と、破風部材を貫通し、垂木内部で固定効果が発現している固定用部材を用いて破風部材の外側面に固定された軒樋用吊り具と、該軒樋用吊り具によって固定された軒樋とを備えた軒先構造。
【発明の詳細な説明】
【技術分野】
【０００１】
本発明は軒樋用吊り具の取り付け補助部材に関する。また、本発明は建物の軒先構造に関する。
【背景技術】
【０００２】
建物の屋根の軒先には一般に、屋根面から流れ落ちる雨水を受けるための軒樋が軒先に沿って敷設されている。図２には従来の一般的な軒先構造の例を説明する概略断面図が示されている。この軒先構造は、垂木１と、垂木１の端面に隣接して上下方向に設置された破風部材４と、垂木１及び破風部材４の上側に設置された野地板２と、野地板２の上側に設置された屋根材３と、破風部材４の外側に配置された軒樋７と、軒樋７を支持する軒樋用吊り具６を具備している。
【０００３】
軒樋用吊り具及び軒樋の設置工事は一般的に垂木、野地板、屋根材及び破風部材などの外装工事終了後に行うことが一般的である（例えば非特許文献１のｐ１８参照）。このため、軒樋用吊り具はビスや釘等の固定用部材を用いて破風部材に固定効果を発現させて取り付けることが一般的である。破風部材がない場合には例えば特許文献１の図２に開示されているように垂木に取り付けることがある。
【０００４】
また、例えば特許文献２の第（１１）頁に開示されているように垂木上面に軒樋用吊り具を取り付けることがある。特許文献２には以下の手順で軒樋用吊り具を設置することが記載されている。まず、軒樋を軒樋用吊り具に下方から取り付ける。次に、軒樋用吊り具の固定部を垂木の上面に設置し、固定部に形成されている固定用孔に釘等を打ち込むことによって、軒樋用吊り具及び軒樋は軒先に固定される。最後に、屋根材及び下地材が垂木及び固定部の上側に設置される。軒樋用吊り具と破風とが接した状態で、軒樋用吊り具を貫通する開口にビス等を打ち込み、破風にも固定可能であることも記載されている。
【先行技術文献】
【特許文献】
【０００５】
【特許文献１】特開平７−２６９０５０号公報
【特許文献２】意匠登録第１５４２７８５号公報
【非特許文献】
【０００６】
【非特許文献１】福本雅嗣著、「木造住宅・工事管理テキスト」特定非営利活動法人建築技術支援協会、２０１１年３月
【発明の概要】
【発明が解決しようとする課題】
【０００７】
このように、軒樋用吊り具は破風部材が存在する場合は、ビスや釘等の固定用部材を用いて破風部材に固定効果を発現させて取り付けることが一般的となっているため、破風部材が破損しやすい材質の場合や、破風部材が窯業系の材質などであることによって軒樋用吊り具を固定するビスや釘が抜けやすい場合は、雨、雪又は風などの影響で軒樋用吊り具が破風部材から脱落するおそれがある。
【０００８】
また、破風部材が軒樋用吊り具を固定するビスや釘の固定効果を発現できない厚さの場合には、雨、雪又は風などの影響で軒樋用吊り具が脱落するおそれがある。
【０００９】
また、意匠登録第１５４２７８５号公報に記載の垂木上面に固定される軒樋用吊り具は一般的な軒樋用吊り具と比べて構造が特殊であり、汎用性がない。例えば特許文献１のような軒樋用吊り具を取り付けることはできない。
【００１０】
本発明の目的は、上記問題に着目してなされたもので、破風部材の材質及び厚さに関係なく、幅広い種類の軒樋用吊り具を軒先に強固に取り付けることを可能とする軒樋用吊り具の取り付け補助部材を提供することを課題の一つとする。
【課題を解決するための手段】
【００１１】
垂木は軒樋用吊り具を強固に固定可能な構造材である。そのため、破風部材の材質及び厚さに関係なく、種々の軒樋用吊り具を軒先に強固に取り付けることを考えると、軒樋用吊り具を垂木に確実に取り付けることができるようにすることが有利である。本発明者はこの観点から有効な手段を鋭意検討したところ、破風部材を取り付けた後でも垂木の端面の位置を示すことのできる補助部材を軒先に設置することが実用上優れていることを見出した。
【００１２】
通常、破風部材を取り付けた後は垂木の端面が破風部材によって隠れてしまい、垂木の位置が分からなくなってしまう。しかしながら、破風部材を取り付けた後でも垂木の端面の位置を示すことのできる補助部材を軒先に設置しておくと、施工者は補助部材を頼りに軒樋用吊り具を的確に垂木に固定することが可能となる。これにより、破風部材によって垂木が隠れてしまう場合でも各種の軒樋用吊り具を垂木に的確に固定できるようになる。本発明は当該知見に基づいて完成したものであり、以下のように例示される。
【００１３】
本発明は一側面において、垂木または野地板に接触するように構成された取付部と、該垂木の端面に隣接させて破風部材を取り付けた後に該垂木の端面の少なくとも一部の位置を示すことができるように構成された目印部と、を備えた軒樋用吊り具の取り付け補助部材である。
【００１４】
本発明に係る軒樋用吊り具の取り付け補助部材の一実施形態においては、前記目印部は破風部材と隣接する前記垂木の端面の水平方向の長さの両端、高さ方向の長さの両端、またはそれらの両方向の長さの各両端の位置を示す指標を有する。
【００１５】
本発明に係る軒樋用吊り具の取り付け補助部材の別の一実施形態においては、前記目印部は前記垂木の端面の水平方向の長さ方向の両端、高さ方向の長さの両端、またはそれらの両方向の長さの各両端の位置に対応する外縁を有し、当該外縁が前記指標となる。
【００１６】
本発明に係る軒樋用吊り具の取り付け補助部材の更に別の一実施形態においては、前記目印部は軒樋用吊り具の固定用部材が取り付けられる垂木の端面の部分と重ならないように形成されている。
【００１７】
本発明に係る軒樋用吊り具の取り付け補助部材の更に別の一実施形態においては、前記目印部は、垂木の端面を正面から観察したときに、垂木の端面の上側の両角部に重なるようにして形成された、垂木の端面の水平方向の長さの両端の位置を示す指標を有する。
【００１８】
本発明に係る軒樋用吊り具の取り付け補助部材の更に別の一実施形態においては、前記目印部は、垂木の端面を正面から観察したときに、垂木の端面の外周部のみと重なるようにして形成されている。
【００１９】
本発明に係る軒樋用吊り具の取り付け補助部材の更に別の一実施形態においては、前記目印部は軒樋用吊り具と係合可能な一つ又は複数の部位を有する。
【００２０】
本発明に係る軒樋用吊り具の取り付け補助部材の更に別の一実施形態においては、前記取付部は垂木または野地板への取り付け位置の指標を有する。
【００２１】
本発明に係る軒樋用吊り具の取り付け補助部材の更に別の一実施形態においては、前記取付部は垂木の上面、下面、端面、右側面及び左側面よりなる群から選択される少なくとも一つの面に接触するように構成されている。
【００２２】
本発明は別の一側面において、軒樋用吊り具を設置する前の軒先構造であって、垂木と、垂木の端面に隣接して上下方向に設置された破風部材と、垂木及び破風部材の上側に設置された野地板と、野地板の上側に設置された屋根材と、取付部が垂木または野地板に固定された本発明に係る軒樋用吊り具の取り付け補助部材とを備えた軒先構造である。
【００２３】
本発明は更に別の一側面において、垂木と、垂木の端面に隣接して上下方向に設置された破風部材と、垂木及び破風部材の上側に設置された野地板と、野地板の上側に設置された屋根材と、取付部が垂木または野地板に固定された本発明に係る軒樋用吊り具の取り付け補助部材と、破風部材を貫通し、垂木内部で固定効果が発現している固定用部材を用いて破風部材の外側面に固定された軒樋用吊り具と、該軒樋用吊り具によって固定された軒樋とを備えた軒先構造である。
【発明の効果】
【００２４】
本発明によれば、破風部材を取り付けた後でも垂木の端面の位置を指し示す軒樋用吊り具の取り付け補助部材を提供することができる。よって、軒樋用吊り具を固定するビスや釘等の固定用部材は垂木に確実に固定することが可能となる。このため、本発明によれば、破風部材が設置される軒先構造においても、軒樋用吊り具の設計自由度が高く、従来の一般的な軒樋用吊り具も利用可能であり、各種の軒樋用吊り具を容易に高い固定強度で軒先に固定することが可能になる。ついては、破風部材の材質及び厚さを含めた設計自由度を高めることができ、更にはコストダウンにも貢献できる。例えば従来では外表面を構成する破風部材が薄い場合のほか、金属製や窯業系の材質の場合には、下地として厚みのある木製の破風部材を必要としていたところ、そのような下地が不要となるため、工事の簡略化及び施工費用の低減を図ることが可能となる。
【図面の簡単な説明】
【００２５】
【図１−１】本発明に係る軒先構造の一実施例の概略断面図である。
【図１−２】図１−１に示す軒先構造における、軒樋用吊り具の取り付け補助部材、垂木及び破風部材の位置関係を示す概略図である。
【図２】従来の一般的な軒先構造の一実施例の概略断面図であり、破風部材の外側面に固定用部材を用いて軒樋用吊り具を取り付けている様子が示されている。
【図３】本発明に係る軒樋用吊り具の取り付け補助部材の一実施例の概略図である。
【図４−１】本発明に係る軒樋用吊り具の取り付け補助部材の一実施例について、取付部が垂木の上面に接触している状態を示す概略図であり、目印部が垂木の水平方向の長さの両端の位置を示す指標を有する例が示されている。
【図４−２】（ａ）本発明に係る軒樋用吊り具の取り付け補助部材の一実施例の概略図であり、目印部が垂木の水平方向の長さの両端の位置を示す指標を有する例が示されている。（ｂ）本実施例に係る軒樋用吊り具の取り付け補助部材について、取付部が垂木の下面及び端面に接触している状態を示す概略図である。
【図４−３】（ａ）本発明に係る軒樋用吊り具の取り付け補助部材の一実施例の概略図であり、目印部が垂木の水平方向の長さの両端の位置を示す指標を有する例が示されている。（ｂ）本実施例に係る軒樋用吊り具の取り付け補助部材について、取付部が垂木の右側面に接触している状態を示す概略図である。
【図４−４】（ａ）本発明に係る軒樋用吊り具の取り付け補助部材の一実施例の概略図であり、目印部が垂木の水平方向の長さの両端の位置を示す指標を有する例が示されている。（ｂ）本実施例に係る軒樋用吊り具の取り付け補助部材について、取付部が垂木上面及び右側面に接触している状態を示す概略図である。
【図４−５】（ａ）本発明に係る軒樋用吊り具の取り付け補助部材の一実施例の概略図であり、目印部が垂木の水平方向の長さの両端の位置を示す指標を有する例が示されている。（ｂ）本実施例に係る軒樋用吊り具の取り付け補助部材について、取付部が垂木上面、右側面及び左側面に接触している状態を示す概略図である。
【図４−６】本発明に係る軒樋用吊り具の取り付け補助部材の一実施例について、取付部が垂木上面に接触している状態を示す概略図であり、目印部が垂木の端面の水平方向の長さの両端の位置及び高さ方向の両端の位置を示す指標を有する例が示されている。
【図４−７】本発明に係る軒樋用吊り具の取り付け補助部材の一実施例について、取付部が垂木上面に接触している状態を示す概略図であり、目印部が垂木の端面の水平方向の長さの両端の位置及び高さ方向の両端の位置を示す指標を有する例が示されている。
【図５−１】本発明に係る軒樋用吊り具の取り付け補助部材の一実施例について、取付部が垂木上面に接触している状態を示す概略図であり、目印部が軒樋用吊り具と係合可能な凹凸部位を有する例が示されている。
【図５−２】本発明に係る軒樋用吊り具の取り付け補助部材の一実施例について、取付部が垂木上面に接触している状態を示す概略図であり、目印部が軒樋用吊り具と係合可能な凹凸部位を有する例が示されている。
【図６−１】本発明に係る軒樋用吊り具の取り付け補助部材の一実施例の概略図であり、取付部には垂木または野地板への取り付け位置の指標として目盛り線が設けられている。
【図６−２】本発明に係る軒樋用吊り具の取り付け補助部材の一実施例の概略図であり、取付部には垂木または野地板への取り付け位置の指標として切り欠きが設けられている。
【図７】本発明に係る軒樋用吊り具の取り付け補助部材の軒先への固定方法の一例として、垂木の上面に取り付ける方法を示す。
【図８】本発明に係る軒先構造の一実施例の概略図であり、軒樋用吊り具の取り付け補助部材を目安として軒樋用吊り具を軒先に固定し、次いで軒樋を取り付けた例を示す。
【発明を実施するための形態】
【００２６】
以下に発明の実施形態について、図面を参照しつつ詳しく説明する。
【００２７】
図３には本発明に係る軒樋用吊り具の取り付け補助部材５の一実施例の概略図が示されており、この軒樋用吊り具の取り付け補助部材５を軒先に取り付けたときの軒先構造の一実施例の概略断面図が図１−１に、図１−１に示す軒先構造における、軒樋用吊り具の取り付け補助部材、垂木及び破風部材の位置関係を示す概略図が図１−２に示されている。軒樋用吊り具の取り付け補助部材５は、垂木または野地板に接触するように構成された取付部５１と、該垂木の端面１ａに隣接させて破風部材を取り付けた後に垂木の端面の少なくとも一部の位置を示すことができるように構成された目印部５２とを備える。本実施例に係る軒先構造は、垂木１と、垂木１の端面１ａに隣接して上下方向に設置された破風部材４と、垂木１及び破風部材４の上側に設置された野地板２と、野地板２の上側に設置された屋根材３と、取付部５１が垂木または野地板に固定された本発明に係る軒樋用吊り具の取り付け補助部材５とを備える。図１−１に示す軒先構造は軒樋用吊り具及び軒樋が設置される前の状態にあるが、後述する図８に示すように、軒先構造は、破風部材を貫通し、垂木内部で固定効果が発現している固定用部材を用いて破風部材の外側面に固定された軒樋用吊り具と、該軒樋用吊り具によって固定された軒樋とを更に備えることができる。なお、図１−２は野地板２と屋根材３を記載していないが、軒先構造としては図１−１に示すように、図１−２の垂木１及び破風部材４の上側に野地板２と屋根材３が設置される。
【００２８】
上述したように、図２に示すような従来の軒樋用吊り具６は、ビスや釘等の固定用部材８を用いて上下方向に設置された破風部材４に固定効果を発現して固定されている。軒樋７には雨、雪又は風の力がかかる可能性があるため、破風部材４が破損しやすい材質の場合、または破風部材４が薄く、ビスや釘の固定効果を発揮できない場合は破風部材４から軒樋用吊り具６が脱落しやすい。
【００２９】
これに対し、本実施例に係る軒樋用吊り具の取り付け補助部材５を設置すると、図１−２に示すように垂木の端面１ａを隠蔽するように取り付けられた破風部材４よりも手前に配置された目印部５２のおかげで破風部材４を設置した後でも垂木１の端面１ａの位置がわかる。軒樋用吊り具の取り付け補助部材５の目印部５２を目安として、軒樋用吊り具６はビスや釘等の固定用部材８を用いて、破風部材を貫通して垂木１の内部で固定効果を発現することにより、破風部材４の材質、厚さの影響を受けずに軒樋用吊り具６を軒先に固定することが可能である（図８参照）。
【００３０】
そのため、破風部材４の材質及び厚さを含めた設計自由度が高くなり、例えば破風部材４の材質を木材のみならず、樹脂や金属などとすることも厚手の木製下地を要することなく可能であり、破風部材４の厚さも軒樋用吊り具６の取り付け強度を気にすることなく設定可能である。
【００３１】
また、本実施例に係る軒樋用吊り具の取り付け補助部材５は垂木１の端面１ａの位置、ひいては軒樋用吊り具の取り付け位置の指標であるため、従来の一般的な軒樋用吊り具を含めて種々のデザインの軒樋用吊り具を選択できる。例えば、豪雪地帯の場合には高強度の軒樋用吊り具を選定でき、また、破風部材が地面に対して垂直でない場合には角度のついた軒樋用吊り具を選定できる。
【００３２】
軒樋用吊り具の取り付け補助部材５は破風部材４を取り付けた後で垂木１の端面１ａの位置を示すことができれば、垂木１または野地板２のいずれの面にも取り付けることができ、取り付け位置を限定するものではない。例えば、取付部５１が垂木１の上面１ｂ、下面１ｃ、端面１ａ、右側面１ｄ及び左側面１ｅよりなる群から選択される少なくとも一つの面に接触するように軒樋用吊り具の取り付け補助部材５を構成可能である（図１−２参照）。なお、ここでの左右方向は図１−２のように垂木の端面を手前側から観察したときを基準として定めることとする。
【００３３】
容易に取付工事を行なえるようにするためには、軒樋用吊り具取り付け補助部材５の取付部５１を垂木１の上面に取り付け、その後に野地板２を敷設することが好ましく、この場合、垂木１上への野地板２の敷設工事に与える影響を小さくするため、取付部５１は垂木１の上面１ｂと接する平面を有することが好ましく、典型的には平板状とすることができる。また、取付部５１の厚さが厚い場合、軒樋用吊り具の取り付け補助部材５を設置してない部分で垂木１と野地板２に隙間が生じるため、取付部５１の厚さは薄い方が望ましい。具体的には、取付部５１の厚さは５ｍｍ以下が好ましく、１ｍｍ以下がより好ましく、例えば０．２〜５ｍｍとすることができる。
【００３４】
軒樋用吊り具の取り付け補助部材５は垂木１の端面１ａの位置の指標であることから、強度、剛性などは不要である。このため、軒樋用吊り具の取り付け補助部材５の材質は特に限定されるものではなく、例えば紙、木、金属、又は樹脂とすることができる。また、単一材質ではなく、二種以上の複合材質とすることができる。なお、軒樋用吊り具の取り付け補助部材５は軒先の構造物の一部となることから、紙や木など吸湿性や耐久性の面で劣る材質より、劣化の少ない金属や樹脂が好ましい。
【００３５】
軒樋用吊り具の取り付け補助部材５は、取付部５１が接触する垂木１または野地板２の任意の一面又は複数の面において任意の固定手段により固定することができる。軒樋用吊り具の取り付け補助部材５は軒樋用吊り具６が取り付けられるまでの間のみ保持されれば良いため、垂木１または野地板２への固定方法はビスや釘等に限らず、糊、接着剤、両面テープ、又はタッカー等とすることもできる。更には紐や針金で括る仮留めでも可能であるが、垂木１または野地板２との隙間ができ、手間もかかるため、好ましくない。また、垂木１や野地板２に軒樋用吊り具の取り付け補助部材５を埋め込むなども可能であるが、手間もかかるため、好ましくない。ビスや釘等の固定用部材を用いて軒樋用吊り具の取り付け補助部材５を垂木１または野地板２へ固定する場合は、図１−２等に記載しているように取付部５１には一つまたは複数の固定用穴５３を設けることも可能である。
【００３６】
軒樋用吊り具の取り付け補助部材５の取付部５１と目印部５２は直線状に配置されても良いが、後の破風部材４の工事や意匠性、更には垂木１の端面１ａの位置指標機能などを考慮すると例えば図３のように、取付部５１と目印部５２の間に屈折部を設け、垂木１の端面１ａに向かって略くの字に曲げておくことが好ましい。また、軒樋用吊り具の取り付け補助部材５を垂木１や野地板２に取り付ける位置によっては、取付部５１の形状は垂木１の左側面１ｅ、右側面１ｄ及び上面１ｂと接することが可能な平面を有する略コの字形状（図４−５参照）や、垂木１の横側（左右いずれかの側面）及び端面１ａに接することが可能な平面を有するように複数の屈折部分を組み合わせた構造を有することがある（図４−３参照）。更に、工事後の意匠性などを考慮すると目印部５２は軒樋用吊り具６を設置後、切り取ることができる構造や材質を採用することができる。そのような構造としては、例えば、取付部５１と目印部５２の間の屈折部を薄くした構造や、破線状として、折れやすいまたは切れやすい構造が挙げられ、そのような材質としては、例えば、木製など折れやすい材質が挙げられる。
【００３７】
軒樋用吊り具の取り付け補助部材５は軒樋用吊り具６の取り付け位置の目安とするため、破風部材４を設置した後、垂木１の端面１ａの位置を指し示す機能があればその構成に特段制約はないが、ビスや釘等の固定用部材８の固定効果を垂木１に確実に発現させるためには、目印部５２に破風部材４と接する垂木１の端面１ａの水平方向の長さ方向の両端、高さ方向の長さの両端、またはそれらの両方向の長さの各両端の位置を示す指標があることが好ましい。そのような指標としては、数値や文字を用いた言語による指標でもよいが、図形による指標が直感的で分かりやすいことから好ましい。従って、本発明の一実施形態においては、目印部５２は、垂木１の端面１ａの水平方向の長さ方向の両端、高さ方向の長さの両端、またはそれらの両方向の長さの各両端の位置に対応する外縁を有し、当該外縁が前記指標を構成する。
【００３８】
例えば、図４−１に示す軒樋用吊り具の取り付け補助部材５の実施例においては、目印部５２が垂木１の端面１ａの水平方向の長さの両端の位置を示す指標を有する。また、図４−６及び図４−７に示す軒樋用吊り具の取り付け補助部材５の実施例においては、目印部５２が垂木１の端面１ａの水平方向の長さの両端の位置及び高さ方向の両端の位置を示す指標を有する。
【００３９】
但し、軒樋用吊り具６の固定用部材８を取り付ける位置に目印部５２があると、目印部５２の材質（例：金属）によっては固定用部材８を貫通させ難い場合がある。このため、目印部５２は、破風部材４を介して固定用部材８が取り付けられる垂木１の端面１ａの部分と重ならないように形成することが好ましい。これによって、固定用部材８は目印部５２を貫通することなく垂木１に取り付けることが可能となる。この観点から、目印部５２は、例えば図４−１に示すように、（破風部材４を設置後は破風部材４を透視するようにして）垂木１の端面１ａを正面から観察したときに、垂木１の端面１ａの上側の両角部に垂木１の端面１ａの水平方向の長さの両端の位置を示す指標を有することが好ましい。また、目印部５２は、例えば図４−６及び図４−７に示すように、垂木１の端面１ａを正面から観察したときに、垂木１の端面１ａの外周部のみと重なるようにして形成され、固定用部材８を取り付ける垂木１の端面１ａの中心部は空いている指標を有することが好ましい。図４−６及び図４−７の実施例を比較すると、図４−７の実施例では目印部５２は垂木１の端面１ａの下辺に対応する外周下部を有しており、垂木の下辺の位置を確実に把握することが可能であり、軒樋用吊り具６を取り付け施工する上で有利である。また、図４−７の実施例では目印部５２は垂木１の端面１ａの右辺に対応する外周右部と、垂木１の端面１ａの左辺に対応する外周左部とが、垂木１の端面１ａの下辺に対応する外周下部によって連結されているため、一度に曲げ加工時に左右の折り曲げ角度を均一に保持しやすいことから、軒樋用吊り具の取り付け補助部材５を加工する上で有利である。
【００４０】
同様に、軒樋用吊り具６の固定用部材８を取り付ける位置に軒樋用吊り具の取り付け補助部材５の他の構成要素（例：取付部）があると、その材質（例：金属）によっては固定用部材８を貫通させ難い場合がある。このため、軒樋用吊り具の取り付け補助部材５の如何なる構成要素も、固定用部材８が取り付けられる垂木１の端面１ａの部分を遮らないように配置することが好ましい（図１−２、図４−１、図４−３、図４−４、図４−５、図８参照）。
【００４１】
なお、取付部５１及び目印部５２などの軒樋用吊り具の取り付け補助部材５の構成要素の材質が紙や木などの固定用部材８を貫通させることに支障がない材質である場合には、目印部５２及び取付部５１などの軒樋用吊り具の取り付け補助部材５の構成要素は、固定用部材８が取り付けられる垂木１の端面１ａの部分を遮るように配置しても問題はない。このような場合は、図４−２の実施例に示すように、取付部５１は垂木１の下面垂木１ｃと接する部位５１−１の他に、垂木１の端面１ａの一部または全面を覆い、固定用部材８を貫通させる部位５１−２を有することができる。
【００４２】
軒樋用吊り具の固定用部材８を的確に垂木１に取り付ける構造として、目印部５２に軒樋用吊り具６の破風部材４と接する面の指標を有することができる。指標の例として、軒樋用吊り具６の破風部材４と接する面の外周形状、またはその一部の形状を目印部５２に有する。また、別の例として、軒樋用吊り具の固定用部材８を通す穴の位置を示す指標を有することなどが挙げられる。
【００４３】
軒樋用吊り具６を更に容易に尚且つ的確な位置に取り付けられるように、目印部５２は、軒樋用吊り具６と係合可能な一つ又は複数の凹凸部位５２ａを有することができる。係合様式としては、嵌合式、スライド式、フック式などが挙げられるが特に制限はない。面ファスナーを使用することも可能である。但し、これらの場合は、軒樋用吊り具６側にも目印部５２に対応する逆の凹凸部位を設ける必要がある。
【００４４】
例えば図５−１に示すように、目印部５２は垂木１の端面１ａの四隅に対応する箇所に凹凸部位５２ａを有し、軒樋用吊り具６はこれに対応する逆の凹凸部位を有し、互いに係合できる構造であることで、軒樋用吊り具６を的確な位置で取り付け可能となる。図５−２に示すように、目印部５２が垂木１の端面１ａの対向する一対の辺に沿って延設された一対の凹凸部位５２ａを有することでも同様の効果が発現できる。
【００４５】
垂木１の上面１ｂに軒樋用吊り具の取り付け補助部材５を設置し、破風部材４を設置する前の状態を図７に示す。ここでは、固定用部材９を用いて軒樋用吊り具の取り付け補助部材５を垂木１または野地板２へ固定する場合は、破風部材４の厚さを考慮して垂木１と目印部５２の距離を設ける必要がある。この距離を設けるにあたり取付部５１に取り付け位置の指標を設けることが望ましい。取り付け位置の指標の例として、取付部５１に目盛り線５１ａを設けた例を図６−１に、及び切り欠き５１ｂを設けた例を図６−２にそれぞれ示す。図６−１及び図６−２には、当該部品を矢印の方向から観察したときの概略図が示してある。
【００４６】
図８に軒樋用吊り具の取り付け補助部材５を用いて軒樋用吊り具６および軒樋７を設置した最終的な軒先構造の一実施例の概略図を示す。図８に示す通り、軒樋用吊り具の取り付け補助部材５を用いることにより、軒樋用吊り具の固定用部材８は垂木１に達しており、垂木１にて固定効果を発揮しているため、破風部材の材質、厚さによらず、軒樋用吊り具６を取り付けることができる。
【符号の説明】
【００４７】
１・・・垂木
１ａ・・・垂木の端面
１ｂ・・・垂木の上面
１ｃ・・・垂木の下面
１ｄ・・・垂木の右側面
１ｅ・・・垂木の左側面
２・・・野地板  
３・・・屋根材  
４・・・破風部材  
５・・・軒樋用吊り具の取り付け補助部材
５１・・・取付部
５１−１・・・垂木の下面と接触する部位
５１−２・・・垂木の端面と接触する部位
５１ａ・・・目盛り線  
５１ｂ・・・切り欠き
５２・・・目印部
５２ａ・・・凹凸部位
５３・・・固定用穴
６・・・軒樋用吊り具
７・・・軒樋
８・・・軒樋用吊り具の固定用部材
９・・・軒樋用吊り具の取り付け補助部材の固定用部材
【図１−１】
2019027177.tif 000003
【図１−２】
2019027177.tif 000004
【図２】
2019027177.tif 000005
【図３】
2019027177.tif 000006
【図４−１】
2019027177.tif 000007
【図４−２】
2019027177.tif 000008
【図４−３】
2019027177.tif 000009
【図４−４】
2019027177.tif 000010
【図４−５】
2019027177.tif 000011
【図４−６】
2019027177.tif 000012
【図４−７】
2019027177.tif 000013
【図５−１】
2019027177.tif 000014
【図５−２】
2019027177.tif 000015
【図６−１】
2019027177.tif 000016
【図６−２】
2019027177.tif 000017
【図７】
2019027177.tif 000018
【図８】
2019027177.tif 000019